(57)【要約】      （修正有）【課題】背もたれ及び座布団との接触面を人体の座り方により、腰や背中、脚部、尻に対応する曲面にできる空気調節機能付背もたれ／座布団を提供する。【解決手段】背もたれ／座布団の本体とカバーとの間に隙間があり、カバーにはコネクターが設置され、そこに空気調節弁が設置され、空気調節弁がスプールと蓋とを備え、スプールの軸の中心が貫通孔であり、その上表面にシール前エッジが設置され、上表面の外縁部にストップカラーが設置され、中央部の外面にストップカラーＩが設置され、ストップカラーＩに下向きで外面に沿ってねじ切Ｉを行い、その下部の外面に接続溝が設置される。また蓋の内面端部にシールリングが設置され、それとスプールの上表面に設置されたシール前エッジと合わせ、蓋の内面中央部にストップカラーＩＩが設置され、ストップカラーＩＩに下向きで内面に沿ってねじ切ＩＩを行い、ストップカラーＩとストップカラーＩＩが締まりばめであり、ねじ切Ｉとねじ切ＩＩが合わせられる。【選択図】図１
0003184958.tif 000002
【実用新案登録請求の範囲】
【請求項１】
背もたれ/座布団の本体とカバーとを備える空気調節機能付背もたれ/座布団において、上記背もたれ/座布団の本体とカバーとの間に隙間があり、コネクターがカバーに設置されるとともに、空気調節弁がコネクターに設置されることを特徴とする空気調節機能付背もたれ/座布団。
【請求項２】
上記空気調節弁がスプールと蓋とを備え、上記スプールの軸の中心が貫通孔であり、その上表面にシール前エッジが設置され、上表面の外縁部にストップカラーが設置され、中央部の外面にストップカラーＩが設置され、ストップカラーＩに下向きで外面に沿ってねじ切Ｉを行い、その下部の外面に接続溝が設置される。上記蓋の内面の端部にシールリングが設置され、そのシールリングとスプールの上表面に設置されたシール前エッジと合わせ、蓋の内面の中央部にストップカラーＩＩが設置され、ストップカラーＩＩに下向きで内面に沿ってねじ切ＩＩを行い、ストップカラーＩとストップカラーＩＩが締まりばめであり、ねじ切Ｉとねじ切ＩＩが合わせることを特徴とする請求項1に記載された空気調節機能付背もたれ/座布団。 
【考案の詳細な説明】
【技術分野】
【０００１】
本実用新案は、空気調節機能付背もたれ/座布団に関し、日用品分野に属する。
【背景技術】
【０００２】
背もたれ/座布団は背もたれと座布団とを備える。従来の一般的な背もたれとして、通常背もたれカバーと背もたれスポンジとを備え、座布団は通常座布団カバーと座布団スポンジとを備える。上記背もたれと座布団は単独に、或いは一緒に使用される。 
【０００３】
中国実用新案特許201120337365.5は自動車用箱状の空気調節機能付背もたれ/座布団を開示する。そのシェルは中空の金属ボックスであり、金属ブックスの表面に大小の通気孔があり、金属ボックスの中央部に自動閉鎖排気バルブが設置され、排気バルブにボックス壁を貫く吸気管が吸気調節弁の出口端に接続され、吸気調節弁の入口端が自動車エアコンの排気管に接続される。上記空気調節機能付背もたれ/座布団は運転席のシートやシートバックに置かれることができる。中国実用新案特許2004200861356は調節可能なインフレータブル背もたれ/座布団を開示する。上記調節可能なインフレータブル背もたれ/座布団が背もたれと座布団とを備える。上記背もたれは背もたれカバーと背もたれスポンジとを備え、座布団は座布団カバーと座布団スポンジとを備える。背もたれと座布団が可動な接続であり、上記背もたれスポンジに背もたれクッションがあり、上記座布団スポンジに座布団クッションがある。背もたれクッションと座布団クッションは一次成形のもので、通気パイプで接続される。上記通気パイプに調節弁が設置され、通気パイプの他方の端に手動ポンプに接続される。上記背もたれとクッションの厚さと柔らかさがそれぞれ調節可能である。中国実用新案特許2011203373617は自動車用エアコンシートを開示する。上記自動車用エアコンシートがシート本体を備える。自動車エアコンのエアーパイプが三方調節弁を通じ、各座席の内部に設置された通気孔付きの冷気・熱気流通用エアーパイプに接続され、また調節弁と各座席との間のエアーパイプに制御バルブが設置される。それにより、効果的で、かつ迅速に自動車シートの温度を調節できる。
【考案の概要】
【０００４】
本実用新案が解決しようとする技術問題は、使用する時、背もたれ及び座布団との接触面を人体の座り方により、腰や背中、脚部、尻のラジアンに対応する曲面にさせることを特徴とする空気調節機能付背もたれ/座布団を提供することである。
【課題を解決するための手段】
【０００５】
上記の技術的問題を解決するために、本実用新案は次の技術的解決策を導入する。
【０００６】
背もたれ/座布団の本体とカバーとを備え、上記背もたれ/座布団の本体とカバーとの間に隙間があり、カバーにコネクターが設置され、コネクターに空気調節弁が設置され、上記空気調節弁はスプールと蓋とを備える。
【０００７】
上記スプールの軸の中心が貫通孔であり、その上表面にシール前エッジが設置され、上表面の外縁部にストップカラーが設置され、中央部の外面にストップカラーＩが設置され、ストップカラーＩに下向きで外面に沿ってねじ切Ｉを行い、その下部の外面に接続溝が設置される。上記蓋の内面の端部にシールリングが設置され、そのシールリングとスプールの上表面に設置されたシール前エッジと合わせ、蓋の内面の中央部にストップカラーＩＩが設置され、ストップカラーＩＩに下向きで内面に沿ってねじ切ＩＩを行い、ストップカラーＩとストップカラーＩＩが締まりばめであり、ねじ切Ｉとねじ切ＩＩが合わせることを特徴とする空気調節機能付背もたれ/座布団である。
【考案の効果】
【０００８】
本実用新案の有利な効果は次の通りである。
【０００９】
本実用新案に係わる空気調節機能付背もたれ/座布団は、その背もたれ/座布団の厚さと形状が調節可能で、使用する時、背もたれ及び座布団との接触面を人体の座り方により、腰や背中、脚部、尻のラジアンに対応する曲面にさせる。具体的方法は、空気調節弁の蓋を緩め、背もたれ/座布団の適切な厚さを選定し、使用者が適切な座り方で腰を下ろし、そして、空気調節弁の蓋を締めたら、背もたれ/座布団がその形状を保つことができる。本実用新案に係わる製品は簡単な構造及び使いやすい利点を持つので、押し広められることができる。
【図面の簡単な説明】
【００１０】
次は添付図面と結び付け、本実用新案をさらに詳しく説明する。
【００１１】
【図１】図１は本実用新案の実施例１のスプールの構造見取り図である。
【図２】図2は本実用新案の実施例１の蓋の構造見取り図である。
【考案を実施するための形態】
【００１２】
本実用新案が解決しようとする技術問題、技術的解決策及びその利点をより明確にするために、次は添付図面及び実施例と結び付け、本実用新案についてさらに詳しく説明する。また、ここで紹介する具体的な実施例は、本実用新案の解釈のみに用いられ、本実用新案に限定されない。
【実施例１】
【００１３】
図1・2に示すように、背もたれ/座布団の本体とカバーとを備える空気調節機能付背もたれ/座布団において、上記背もたれ/座布団の本体とカバーとの間に隙間があり、カバーにコネクターが設置され、コネクターに空気調節弁が設置される。上記空気調節弁はスプールと蓋とを備える。上記スプールの軸の中心が貫通孔であり、その上表面にシール前エッジが設置され、上表面の外縁部にストップカラーが設置され、中央部の外面にストップカラーＩが設置され、ストップカラーＩに下向きで外面に沿ってねじ切Ｉを行い、その下部の外面に接続溝が設置される。上記蓋の内面の端部にシールリングが設置され、そのシールリングとスプールの上表面に設置されたシール前エッジと合わせ、蓋の内面の中央部にストップカラーＩＩが設置され、ストップカラーＩＩに下向きで内面に沿ってねじ切ＩＩを行い、ストップカラーＩとストップカラーＩＩが締まりばめであり、ねじ切Ｉとねじ切ＩＩが合わせる。
【産業上の利用可能性】
【００１４】
この空気調節機能付背もたれ/座布団は、その背もたれ/座布団の厚さと形状が調節可能で、使用する時、背もたれ及び座布団との接触面を人体の座り方により、腰や背中、脚部、尻のラジアンに対応する曲面にさせる。具体的方法は、空気調節弁の蓋を緩め、背もたれ/座布団の適切な厚さを選定し、使用者が適切な座り方で腰を下ろし、そして、空気調節弁の蓋を締めたら、背もたれ/座布団がその形状を保つことができる。本実用新案に係わる製品は簡単な構造及び使いやすい利点を持つので、押し広められることができる。
【図１】
0003184958.tif 000003
【図２】
0003184958.tif 000004